(57)【要約】  スピンオン式フィルタ（１００、１００ａ）が、ハウジング（３００、３００ｂ）と、中央開口部（２０２、２０２ａ）を定めるカバープレート（２００、２００ａ、２００ｂ）とを含む。ハウジング（３００、３００ｂ）は、閉鎖端（３０２）と、閉鎖端（３０２）から開放端（３０４）まで延びてフィルタエレメント（１６）を収容するように構成された内部チャンバ（３０６）を取り囲む周壁とを有する。カバープレート（２００、２００ａ、２００ｂ）は、中央開口部（２０２、２０２ａ）から外周壁（２１０）まで半径方向外向きに広がる実質的に平坦な外面（２０４）を含む。スピンオン式フィルタ（１００、１００ａ）は、カバープレート（２００、２００ａ、２００ｂ）の外周壁（２１０）又はハウジング（３００、３００ｂ）の内壁（３１０）の一方と一体的に形成された一連の係合タブ（２２０、２２０ｂ）も含む。各係合タブ（２２０、２２０ｂ）は、カバープレート（２００、２００ａ、２００ｂ）をハウジング（３００、３００ｂ）の開放端（３０４）に固定するためにカバープレート（２００、２００ａ、２００ｂ）及びハウジング（３００、３００ｂ）を共に軸方向に圧迫した時に、カバープレート（２００、２００ａ、２００ｂ）の外周壁（２１０）又はハウジング（３００、３００ｂ）の内壁（３１０）の他方に形成された一連の収容スロット（３２０、２３０ｂ）のうちの対応する収容スロットと嵌合するように構成される。【選択図】図４
2020504007.tif 000002
【特許請求の範囲】
【請求項１】
スピンオン式フィルタ（１００、１００ａ）であって、
閉鎖端（３０２）と、該閉鎖端（３０２）から開放端（３０４）まで軸方向に延びて、フィルタエレメント（１６）を収容するように構成された内部チャンバ（３０６）を取り囲む円周方向内壁（３１０）とを有するハウジング（３００、３００ｂ）と、
中央開口部（２０２、２０２ａ）を定め、該中央開口部（２０２、２０２ａ）から外周壁（２１０）まで半径方向外向きに広がる実質的に平坦な外面（２０４）を含むカバープレート（２００、２００ａ、２００ｂ）と、
前記カバープレート（２００、２００ａ、２００）の前記外周壁（２１０）又は前記ハウジング（３００、３００ｂ）の前記内壁（３１０）の一方と一体的に形成された一連の係合タブ（２２０、２００ｂ）と、
を備え、各係合タブ（２２０、２２０ｂ）は、前記カバープレート（２００、２００ａ、２００ｂ）を前記ハウジング（３００、３００ｂ）の前記開放端（３０４）に固定するために前記カバープレート（２００、２００ａ、２００ｂ）及び前記ハウジング（３００、３００ｂ）を共に軸方向に圧迫した時に、前記カバープレート（２００、２００ａ、２００ｂ）の前記外周壁（２１０）又は前記ハウジング（３００、３００ｂ）の前記内壁（３１０）の他方に形成された一連の収容スロット（３２０、２３０ｂ）のうちの対応する収容スロットと嵌合するように構成される、
ことを特徴とするスピンオン式フィルタ（１００、１００ａ）。
【請求項２】
前記ハウジング（３００）の前記開放端（３０４）における前記内壁（３１０）は、前記外周壁（２１０）の外周縁（２１２）よりも大きな直径を有し、前記ハウジング（３００）の前記開放端（３０４）における前記内壁（３１０）は、前記カバープレート（２００、２００ａ）が前記ハウジング（３００）の前記開放端（３０４）に固定された時に、前記カバープレート（２００、２００ａ）の前記外周壁（２１０）の少なくとも一部を取り囲む、
請求項１に記載のスピンオン式フィルタ（１００、１００ａ）。
【請求項３】
各係合タブ（２２０）は、前記ハウジング（３００）の前記内部チャンバ（３０６）内の対応する嵌合位置において前記対応する収容スロット（３２０）と嵌合し、前記嵌合位置は、前記カバープレート（２００、２００ａ）の前記外面（２０４）と、前記ハウジング（３００）の前記内壁（３１０）とは反対側に配置された外壁（３１２）とによって視界から遮られる、
請求項１に記載のスピンオン式フィルタ（１００、１００ａ）。
【請求項４】
各係合タブ（２２０）は、
前記カバープレート（２００、２００ａ）の前記外周壁（２１０）の外周縁（２１２）から半径方向内向きに配置された、近位端（２２４）から遠位端（２２６）まで軸方向に延びる軸方向部分（２２２）と、
前記カバープレート（２００、２００ａ）及び前記ハウジング（３００）が共に軸方向に圧迫された時に、前記対応する収容スロット（３２０）に嵌合して前記カバープレート（２００、２００ａ）及び前記ハウジング（３００）が互いに対して動くのを防ぐように構成された、前記軸方向部分（２２２）の前記遠位端（２２６）から離れて半径方向に突出する干渉部分（２２８）と、
を含む、請求項１に記載のスピンオン式フィルタ（１００、１００ａ）。
【請求項５】
各収容スロット（３２０）は、該収容スロット（３２０）よりも小さな半径方向深さを有する対応する軸方向溝（３２２）を伴い、該軸方向溝（３２２）は、前記カバープレート（２００、２００ａ）及び前記ハウジング（３００）が共に軸方向に圧迫された時に、前記対応する係合タブ（２２０）の前記干渉部分（２２８）を軸方向に導いて前記収容スロット（３２０）と嵌め合い係合させるように構成される、
請求項４に記載のスピンオン式フィルタ（１００、１００ａ）。
【請求項６】
各係合タブ（２２０）の前記軸方向部分（２２２）は、前記干渉部分（２２８）が前記対応する軸方向溝（３２２）に沿って軸方向に導かれている間に前記対応する収容スロット（３２０）から離れて半径方向に撓むように構成される、
請求項５記載のスピンオン式フィルタ（１００、１００ａ）。
【請求項７】
前記軸方向部分（２２２）の前記近位端（２２４）は、前記カバープレート（２００、２００ａ）の前記外周壁（２１０）と一体的に形成され、前記軸方向部分（２２２）の前記遠位端（２２６）は、前記カバープレート（２００、２００ａ）の前記外面（２０４）から前記近位端（２２４）よりも離れて配置され、前記干渉部分（２２８）は、前記軸方向部分（２２２）の前記遠位端（２２６）から、前記ハウジング（３００）の前記内壁（３１０）に形成された前記対応する収容スロット（３２０）に向かって半径方向外向きに突出する、
請求項４に記載のスピンオン式フィルタ（１００、１００ａ）。
【請求項８】
前記軸方向部分（３４２）の前記近位端（３４６）は、前記ハウジング（３００ｂ）と一体的に形成され、前記干渉部分（３４４）は、前記軸方向部分（３４２）の前記遠位端から、前記カバープレート（２００ｂ）の前記対応する収容スロット（２３０ｂ）に向かって半径方向外向きに突出する、
請求項１に記載のスピンオン式フィルタ（１００）。
【請求項９】
前記ハウジング（３００）の前記内壁（３１０）は、
前記カバープレート（２００、２００ａ）が前記ハウジング（３００）の前記開放端（３０４）に固定されている時に前記カバープレート（２００、２００ａ）の前記外周壁（２１０）の少なくとも一部を取り囲む、前記ハウジング（３００）の前記開放端（３０４）に近接する幅広部分（３１０ｗ）と、
前記幅広部分（３１０ｗ）よりも小さな直径を有し、前記ハウジング（３００）の前記開放端（３０４）から前記幅広部分（３１０ｗ）の軸方向距離だけ軸方向に間隔を空けた、前記幅広部分（３１０ｗ）と前記ハウジング（３００）の前記閉鎖端（３０２）との間で軸方向に延びる幅狭部分（３１０ｎ）と、
を含む、請求項１に記載のスピンオン式フィルタ（１００、１００ａ）。
【請求項１０】
前記一連の収容スロット（３２０）は、前記内壁（３１０）の前記幅狭部分（３１０ｎ）に形成され、各収容スロット（３２０）は、前記内壁（３１０）の前記幅狭部分（３１０ｎ）に形成された、前記幅広部分（３１０ｗ）から前記対応する収容スロット（３２０）まで軸方向に延びる対応する軸方向溝（３２２）を伴い、各軸方向溝（３２２）は、前記内壁（３１０）の前記幅広部分（３１０ｗ）から半径方向内向きに配置される、
請求項９に記載のスピンオン式フィルタ（１００、１００ａ）。
【請求項１１】
スピンオン式フィルタ（１００、１００ａ）であって、
閉鎖端（３０２）と、該閉鎖端（３０２）から開放端（３０４）まで軸方向に延びて、フィルタエレメント（１６）を収容するように構成された内部チャンバ（３０６）を取り囲む円周方向内壁（３１０）とを有するハウジング（３００）と、
中央開口部（２０２、２０２ａ）を取り囲む外周壁（２１０）を含むとともに、前記ハウジング（３００、３００ｂ）の前記内部チャンバ（３０６）内に軸方向に延びる一連の係合タブ（２２０、２２０ｂ）を有するカバープレート（２００、２００ａ）と、
を備え、前記一連の係合タブ（２２０、２２０ｂ）は、前記カバープレート（２００、２００ａ、２００ｂ）を前記ハウジング（３００、３００ｂ）の前記開放端（３０４）に固定するために前記カバープレート（２００、２００ａ、２００ｂ）及び前記ハウジング（３００、３００ｂ）を共に軸方向に圧迫した時に、前記ハウジング（３００、３００ｂ）の前記内壁（３１０）に形成された一連の収容スロット（３２０、２３０ｂ）のうちの対応する収容スロットと嵌合するように構成される、
ことを特徴とするスピンオン式フィルタ（１００、１００ａ）。
【請求項１２】
各係合タブ（２２０、２２０ｂ）は、
前記カバープレート（２００、２００ａ、２００ｂ）の前記外周壁（２１０）、又は前記中央開口部（２０２、２０２ａ）と前記外周壁（２１０）の内周縁との間で半径方向に広がる内面（２０６）、と一体的に形成された近位端（２２４、３４６）から近位端（２２４、３４６）まで軸方向に延びる軸方向部分（２２４、３４２）と、
前記軸方向部分（２２２、３４２）の前記遠位端（２２６、３４８）から半径方向外向きに延びる干渉部分（２２８、３４４）と、
を含む、請求項１１に記載のスピンオン式フィルタ（１００、１００ａ）。
【請求項１３】
前記ハウジング（３００、３００ｂ）の前記内壁（３１０）は、
前記カバープレート（２００、２００ａ、２００ｂ）が前記ハウジング（３００、３００ｂ）の前記開放端（３０４）に固定されている時に前記カバープレート（２００、２００ａ、２００ｂ）の前記外周壁（２１０）の少なくとも一部を取り囲む、前記ハウジング（３００、３００ｂ）の前記開放端（３０４）に近接する幅広部分（３１０ｗ）と、
前記幅広部分（３１０ｗ）よりも小さな直径を有し、前記ハウジング（３００、３００ｂ）の前記開放端（３０４）から前記幅広部分（３１０ｗ）の軸方向距離だけ軸方向に間隔を空けた、前記幅広部分（３１０ｗ）と前記ハウジング（３００、３００ｂ）の前記閉鎖端（３０２）との間で軸方向に延びる幅狭部分（３１０ｎ）と、
を含み、
前記一連の収容スロット（３２０、２３０ｂ）は、前記内壁（３１０）の前記幅狭部分（３１０ｎ）に形成され、各収容スロット（３２０、２３０ｂ）は、前記カバープレート（２００、２００ａ、２００ｂ）及び前記ハウジング（３００、３００ｂ）が共に軸方向に圧迫された時に、前記対応する係合タブ（２２０、２２０ｂ）の前記干渉部分（２２８、３４４）を収容して、前記カバープレート（２００、２００ａ、２００ｂ）及び前記ハウジング（３００、３００ｂ）が互いに対して動くのを防ぐように構成される、
請求項１２に記載のスピンオン式フィルタ（１００、１００ａ）。
【請求項１４】
各収容スロット（３２０、２３０ｂ）は、前記内壁（３１０）の前記幅狭部分（３１０ｎ）に形成された対応する軸方向溝（３２２）を伴い、該軸方向溝（３２２）は、前記幅広部分（３１０ｗ）から前記対応する収容スロット（３２０、２３０ｂ）まで軸方向に延び、各軸方向溝（３２２）は、前記内壁（３１０）の前記幅広部分（３１０ｗ）から半径方向内向きに配置されて、前記対応する係合タブ（２２０、２２０ｂ）の前記軸方向部分（２２２、３４２）の軸方向長さと実質的に等しい軸方向長さを定める、
請求項１３に記載のスピンオン式フィルタ（１００、１００ａ）。
【請求項１５】
前記外周壁（２１０）の前記内周縁は、前記内壁（３１０）の前記幅狭部分（３１０ｎ）の直径と実質的に等しい直径を定める、
請求項１２に記載のスピンオン式フィルタ（１００、１００ａ）。
【請求項１６】
前記中央開口部（２０２、２０２ａ）は、スタンドパイプアセンブリの対応するねじ山と螺合するように構成された雌ねじ（２１８）を含む、
請求項１１に記載のスピンオン式フィルタ（１００、１００ａ）。
【請求項１７】
前記カバープレート（２００、２００ａ、２００ｂ）は、
前記中央開口部（２０２、２０２ａ）と前記外周壁（２１０）の外周縁との間で半径方向に広がる実質的に平面な外面（２０４）と、
前記カバープレート（２００、２００ａ、２００ｂ）が前記ハウジング（３００、３００ｂ）に固定されている時に前記カバープレート（２００、２００ａ、２００ｂ）の前記外面（２０４）とは反対側に配置されて前記内部チャンバ（３０６）に対向する、前記中央開口部（２０２、２０２ａ）と前記外周壁の内周縁との間で半径方向に広がる実質的に平坦な内面と、
前記カバープレート（２００、２００ａ、２００ｂ）の前記内面及び外面（２０４、２０６）を貫いて形成された１又は２以上の入口ポート（２０８）と、
をさらに含む、請求項１１に記載のスピンオン式フィルタ（１００、１００ａ）。
【請求項１８】
前記カバープレート（２００、２００ａ、２００ｂ）は、前記中央開口部（２０２、２０２ａ）を取り囲んで少なくとも前記内面（２０６）から離れて軸方向に延びる軸方向カラー（２１９）をさらに含む、
請求項１７に記載のスピンオン式フィルタ（１００、１００ａ）。
【請求項１９】
前記外周壁（２１０）の外周縁は、前記中央開口部（２０２、２０２ａ）を取り囲む、
請求項１１に記載のスピンオン式フィルタ（１００、１００ａ）。
【請求項２０】
スピンオン式フィルタ（１００、１００ａ）の製造方法であって、
閉鎖端（３０２）と、該閉鎖端（３０２）から開放端（３０４）まで軸方向に延びて内部チャンバ（３０６）を取り囲む円周方向内壁（３１０）とを含むハウジング（３００、３００ｂ）の前記内部チャンバ（３０６）にフィルタエレメント（１６）を挿入するステップと、
前記ハウジング（３００、３００ｂ）の前記開放端（３０４）にカバープレート（２００、２００ａ、２００ｂ）を位置合わせした時に前記ハウジング（３００、３００ｂ）の前記内部チャンバ（３０６）内に延びるように構成された一連の係合タブ（２２０、２２０ｂ）を有する前記カバープレート（２００、２００ａ、２００ｂ）を前記ハウジング（３００、３００ｂ）の前記開放端（３０４）に位置合わせして配置するステップと、
前記カバープレート（２００、２００ａ、２００ｂ）及び前記ハウジング（３００、３００ｂ）を共に軸方向に圧迫して、前記ハウジング（３００、３００ｂ）の前記内壁（３１０）に形成された一連の収容スロット（３２０、２３０ｂ）のうちの対応する収容スロットに各係合タブ（２２０、２２０ｂ）を嵌合させることにより、前記カバープレート（２００、２００ａ、２００ｂ）を前記ハウジング（３００、３００ｂ）の前記開放端（３０４）に固定するステップと、
を含み、
前記カバープレート（２００、２００ａ、２００ｂ）の外周縁（２１２）と前記ハウジング（３００、３００ｂ）の前記内壁（３１０）との間に、前記カバープレート（２００、２００ａ、２００ｂ）が前記ハウジング（３００、３００ｂ）の前記開放端（３０４）に固定されている時に前記カバープレート（２００、２００ａ、２００ｂ）の前記外周縁（２１２）と前記ハウジング（３００、３００ｂ）の前記内壁（３１０）との間に流体密封をもたらす半径方向シール（２５２）が配置される、
ことを特徴とする方法。
【発明の詳細な説明】
【技術分野】
【０００１】
本開示は、燃料フィルタアセンブリに関し、具体的には、スナップ嵌め接続を用いて共に固定されたカバープレートとハウジングとを有するスピンオン式フィルタに関する。
【背景技術】
【０００２】
スピンオン式フィルタは、燃料システム及び潤滑システムにおいて、燃料タンク又は潤滑リザーバとエンジン及び／又はその他の部品との間で燃料流又は潤滑流内の微粒子を除去するために使用することができる。通常、スピンオン式フィルタは、流体回路の取り付けアダプタに取り付けられ、流体回路からの流体を受け取って戻す。いくつかの構成では、スピンオン式フィルタが、フィルタエレメントを収容して閉鎖端と開放端とを有する鋼製のキャニスタを含む。開放端には、スピンオン式フィルタを取り付けアダプタにスピンオン方式で接続するための接続部を設けなければならない。一般には、この接続部を設けるためにねじ付きベースプレート（例えば、カバープレート）を使用することが知られている。
【発明の概要】
【発明が解決しようとする課題】
【０００３】
スピンオン式フィルタの形成には、コスト及び重量を削減するためにプラスチックなどの材料を使用することが知られている。しかしながら、一般にプラスチックキャニスタとプラスチックカバープレートとを接合するには、接着剤及び／又は振動溶接又はスピン溶接の使用が必要である。プラスチックを溶接するスピン法及び振動法は、いずれも熱を使用して２つの部品を接合するものであり、これによって材料内の空隙、ひいては迂回路が生じる恐れがある。さらに、スピン法及び振動法にはさらなるオフライン工程が必要であり、これによって総組み立て時間が増加してしまう。
【課題を解決するための手段】
【０００４】
本開示の１つの態様は、ハウジングと、中央開口部を定めるカバープレートとを含むスピンオン式フィルタを提供する。ハウジングは、閉鎖端と、閉鎖端から開放端まで延びて、フィルタエレメントを収容するように構成された内部チャンバを取り囲む周壁とを含むことができる。カバープレートは、中央開口部から外周壁まで半径方向外向きに広がる実質的に平坦な外面を含むことができる。スピンオン式フィルタは、カバープレートの外周壁又はハウジングの内壁の一方と一体的に形成された一連の係合タブを含むこともできる。各係合タブは、カバープレートをハウジングの開放端に固定するためにカバープレート及びハウジングを共に軸方向に圧迫した時に、カバープレートの外周壁又はハウジングの内壁の他方に形成された一連の収容スロットのうちの対応する収容スロットと嵌合するように構成することができる。
【０００５】
いくつかの実装では、ハウジングの開放端における内壁が、外周壁の外周縁よりも大きな直径を含み、カバープレートがハウジングの開放端に固定された時に、ハウジングの開放端における内壁がカバープレートの外周壁の少なくとも一部を取り囲む。各係合タブは、ハウジングの内部チャンバ内の対応する嵌合位置において対応する収容スロットと嵌合することができる。嵌合位置は、カバープレートの外面と、ハウジングの外壁とによって視界から遮ることができる。ここでは、外壁をハウジングの内壁とは反対側に配置することができる。
【０００６】
いくつかの構成では、各係合タブが、近位端から遠位端まで軸方向に延びる軸方向部分と、軸方向部分の遠位端から離れて半径方向に突出する干渉部分とを含むことができる。軸方向部分は、カバープレートの外周壁の外周縁から半径方向内向きに配置することができる。干渉部分は、カバープレート及びハウジングが共に軸方向に圧迫された時に、対応する収容スロットに嵌合してカバープレート及びハウジングが互いに対して動くのを防ぐように構成することができる。各収容スロットは、収容スロットよりも小さな半径方向深さを有する対応する軸方向溝を伴うことができる。軸方向溝は、カバープレート及びハウジングが共に軸方向に圧迫された時に、対応する係合タブの干渉部分を軸方向に導いて収容スロットと嵌め合い係合させるように構成することができる。これに加えて、又はこれとは別に、各係合タブの軸方向部分は、干渉部分が対応する軸方向溝に沿って軸方向に導かれている間に対応する収容スロットから離れて半径方向に撓むように構成することもできる。
【０００７】
上述した構成では、軸方向部分の近位端をカバープレートの外周壁と一体的に形成することができ、軸方向部分の遠位端をカバープレートの外面から近位端よりも離れて配置することができ、干渉部分が、遠位端から、ハウジングの内壁に形成された収容スロットに向かって半径方向外向きに突出することができる。代替例では、軸方向部分の近位端をカバープレートの内壁と一体的に形成することができ、軸方向部分の遠位端を、近位端よりもカバープレートの外面に近接して配置することができ、干渉部分が、遠位端から、カバープレートの外周壁の内周縁に形成された対応する収容スロットに向かって半径方向外向きに突出することができる。
【０００８】
いくつかの実装では、ハウジングの内壁が、ハウジングの開放端に近接する幅広部分と、幅広部分とハウジングの閉鎖端との間で軸方向に延びる幅狭部分とを含む。幅広部分は、カバープレートがハウジングの開放端に固定されている時に、カバープレートの外周壁の少なくとも一部を取り囲むことができる。幅狭部分は、幅広部分よりも小さな直径を含み、ハウジングの開放端から幅広部分の軸方向距離だけ軸方向に間隔を空けることができる。一連の収容スロットは、内壁の幅狭部分に形成することができ、各収容スロットは、内壁の幅狭部分に形成された、幅広部分から対応する収容スロットまで軸方向に延びる対応する軸方向溝を伴うことができる。各軸方向溝は、内壁の幅広部分から半径方向内向きに配置することができる。
【０００９】
本開示の別の態様は、ハウジングと、中央開口部を取り囲む外周壁を含むカバープレートとを含むスピンオン式フィルタを提供する。ハウジングは、閉鎖端と、閉鎖端から開放端まで軸方向に延びて、フィルタエレメントを収容するように構成された内部チャンバを取り囲む円周方向内壁とを含むことができる。カバープレートは、カバープレートをハウジングの開放端に固定するためにカバープレート及びハウジングを共に軸方向に圧迫した時に、ハウジングの内壁に形成された一連の収容スロットのうちの対応する収容スロットと嵌合するように構成された、ハウジングの内部チャンバ内に軸方向に延びる一連の係合タブを含むことができる。
【００１０】
いくつかの実装では、各係合タブが、軸方向部分と干渉部分とを含む。軸方向部分は、カバープレートの外周壁又は内面と一体的に形成された近位端から近位端まで軸方向に延びることができる。ここでは、カバープレートの内面が、中央開口部と外周壁の内周縁との間で半径方向に広がることができる。干渉部分は、軸方向部分の遠位端から半径方向外向きに延びることができる。ハウジングの内壁は、ハウジングの開放端に近接する幅広部分と、幅広部分とハウジングの閉鎖端との間で軸方向に延びる幅狭部分とを含むことができる。開放端は、カバープレートがハウジングの開放端に固定されている時にカバープレートの外周壁の少なくとも一部を取り囲み、幅狭部分は、幅広部分よりも小さな直径を含むことができ、ハウジングの開放端から幅広部分の軸方向距離だけ軸方向に間隔を空けることができる。ここでは、一連の収容スロットを内壁の幅狭部分に形成することができる。各収容スロットは、カバープレート及びハウジングが共に軸方向に圧迫された時に、対応する係合タブの干渉部分を収容して、カバープレート及びハウジングが互いに対して動くのを防ぐように構成することができる。
【００１１】
いくつかの例では、各収容スロットが、内壁の幅狭部分に形成された対応する軸方向溝を伴う。これらの例では、軸方向溝が、幅広部分から対応する収容スロットまで軸方向に延びることができ、内壁の幅広部分から半径方向内向きに配置されて、対応する係合タブの軸方向部分の軸方向長さと実質的に等しい軸方向長さを定めることができる。
【００１２】
外周壁の内周縁は、内壁の幅狭部分の直径と実質的に等しい直径を定めることができる。いくつかの例では、中央開口部が、スタンドパイプアセンブリの対応するねじ山と螺合するように構成された雌ねじを含む。
【００１３】
いくつかの構成では、カバープレートが、中央開口部と外周壁の外周縁との間で半径方向に広がる実質的に平坦な外面と、カバープレートがハウジングに固定されている時にカバープレートの外面とは反対側に配置されて内部チャンバに対向する実質的に平坦な内面と、内面及び外面を貫いて形成された１又は２以上の入口燃料ポートとを含む。内面は、中央開口部と外周壁の内周縁との間で半径方向に広がることができる。これらの構成では、カバープレートが、中央開口部を取り囲んで少なくとも内面から離れて軸方向に延びる軸方向カラーを含むことができる。他の構成では、外周壁の内周縁が中央開口部を取り囲む。
【００１４】
本開示のさらに別の態様は、スピンオン式フィルタの製造方法を提供する。この方法は、ハウジングの内部チャンバにフィルタエレメントを挿入するステップを含むことができる。ハウジングは、閉鎖端と、閉鎖端から開放端まで軸方向に延びる円周方向内壁とを含むことができる。この方法は、カバープレートをハウジングの開放端に位置合わせして配置するステップを含むこともできる。カバープレートは、ハウジングの開放端にカバープレートを位置合わせした時にハウジングの内部チャンバ内に延びるように構成された一連の係合タブを含むことができる。この方法は、カバープレート及びハウジングを共に軸方向に圧迫して、ハウジングの内壁に形成された一連の収容スロットのうちの対応する収容スロットに各係合タブを嵌合させることを含むこともできる。係合タブと収容スロットとの間の嵌合により、カバープレートをハウジングの開放端に固定することができる。カバープレートの外周縁とハウジングの内壁との間には、カバープレートがハウジングの開放端に固定されている時にカバープレートの外周縁とハウジングの内壁との間に流体密封をもたらす半径方向シールを配置することができる。
【００１５】
添付図面及び以下の説明に、本開示の１又は２以上の実装の詳細を示す。これらの説明及び図面、並びに特許請求の範囲からは、他の態様、特徴及び利点も明らかになるであろう。
【図面の簡単な説明】
【００１６】
【図１】スナップ嵌め接続を用いてハウジングの開放端に固定されたカバープレートを含むスピンオン式フィルタの部分的斜視切断図である。
【図２】カバープレートから離れて軸方向に突出する一連の係合タブを示す、図１のカバープレートの上面斜視図である。
【図３】内部に一連の収容スロットが形成されたキャニスタの内壁を示す、図１のキャニスタの底面斜視図である。
【図４】フィルタハウジングと、フィルタハウジング内に配置されたフィルタエレメントと、フィルタハウジングの開放端に固定されたカバープレートとを含むスピンオン式フィルタの断面図である。
【図５】スナップ嵌め接続を用いてキャニスタの開放端に固定された、拡大された中央開口部を定めるカバープレートを含む別のスピンオン式フィルタの部分的斜視切断図である。
【図６】スナップ嵌め接続を用いてハウジングの開放端に固定されたカバープレートを含む別のスピンオン式フィルタの部分的斜視切断図である。
【図７】内部に形成された一連の収容スロットを示す、図６のカバープレートの上面斜視図である。
【図８】キャニスタから離れて軸方向に突出する一連の係合タブを示す、図６のキャニスタの底面斜視図である。
【発明を実施するための形態】
【００１７】
様々な図面における同様の参照記号は同様の要素を示す。
【００１８】
図１を参照すると、いくつかの実装では、スピンオン式フィルタ１００が、スナップ嵌め接続を用いてフィルタハウジング３００に固定されたカバープレート２００を含む。ハウジング３００は、閉鎖端３０２（図３）と、閉鎖端３０２から開放端３０４まで軸方向に延びてフィルタエレメント１０（図４）を収容するように構成された内部チャンバ３０６を取り囲む円周方向内壁３１０とを含む。明確にするために、フィルタエレメント１０は図１から省いている。ハウジング３００は、閉鎖端３０２から開放端３０４に延びる中心長手方向軸Ｌを定める。カバープレート２００は、長手方向軸Ｌと同軸的な中央開口部２０２を定め、中央開口部２０２を取り囲む外周壁２１０を含む。
【００１９】
いくつかの例では、カバープレート２００が、中央開口部２０２から外周壁２１０の外周面２１２まで半径方向に広がる実質的に平坦な外面２０４と、プレート２００をハウジング３００の開放端３０４に固定した時にプレート２００の外面２０４とは反対側に配置されて内部チャンバ３０６に対向する実質的に平坦な内面２０６（図２）とをさらに含む。ここでは、内面２０６が、中央開口部２０２と外周壁２１０の内周面２１４との間で半径方向に広がる。いくつかの例では、カバープレート２００が、汚染物質を除去するために入口流体流（例えば、燃料、オイル又はその他の液体）を内部チャンバ３０６内に向けるように構成された、内面及び外面２０４、２０６を貫いて形成された１又は２以上の入口ポート２０８を含む。外周壁２１０は、ハウジング３００の開放端３０４にカバープレート２００を固定した時にハウジングの内壁３１０によって定められる着座面３１６に対向接触（ｒｅｓｔ  ｉｎ  ｏｐｐｏｓｅｄ  ｃｏｎｔａｃｔ  ｗｉｔｈ）するように構成された、外周面２１２と内周面２１４との間で半径方向に広がる桟部２１６を含むことができる。いくつかの実装では、中央開口部２０２が、スタンドパイプアセンブリ４５０（図４）の対応するねじ山と螺合してスピンオン式フィルタ１００をスタンドパイプアセンブリ４５０に取り付けるように適合された雌ねじ２１８を含む。
【００２０】
いくつかの構成では、プレート２００の一連の係合タブ２２０と、ハウジング３００の内壁３１０に形成された一連の収容スロット３２０のうちの対応する収容スロットとの間の嵌合によって、ハウジング３００にカバープレート２００を固定するためのスナップ嵌め接続がもたらされる。各タブ２２０及び収容スロット３２０の対間の嵌合は、カバープレート２００及びハウジング３００を共に軸方向に圧迫した時に生じ、嵌合が生じた後にはプレート２００がハウジング３００に対して動くのを防ぐことができる。いくつかの実装では、対応する収容スロット３２０にタブ２２０が嵌合又は係合すると、カバープレート２００がハウジング３００に恒久的に固定／固着されて、対応する収容スロット３２０から係合タブ２２０が外れることができなくなる。さらに、各タブ２２０及び収容スロット３２０の対間の嵌合は、カバープレート２００の外周壁２１０の桟部２１６がハウジング３００の内壁３１０によって形成される着座面３１６に接触した時点で生じることもできる。
【００２１】
図１には、ハウジング３００の内部チャンバ３０６内に軸方向に延びて、ハウジング３００の内部チャンバ３０６内の対応する嵌合位置において対応する収容スロット３２０と嵌合した各係合タブ２２０を示す。従って、嵌合位置は、カバープレート２００の外面２０４と、ハウジング３００の内壁３１０とは反対側に配置されたハウジングの外壁３１２とによって視界から遮られる。従って、カバープレート２００がハウジング３００に固定されると、フィルタ１００の外側から係合タブ２２０にアクセスすることができなくなって、エンドユーザがフィルタ１００を分解するのを防ぐ。すなわち、プレート２００及びハウジング３００は、組み立て中に共に軸方向に圧迫され、破壊手段を使用せずに分離することはできない。本明細書においてプレート２００とハウジング３００とを共に軸方向に圧迫するということは、プレート２００とハウジング３００の一方又は両方に軸方向の力を付与することにより、プレート２８０の桟部２１６がハウジング３００の着座面３１６に接触するまで押し込まれて係合タブ２２０が収容スロット３２０に「嵌まり込んで」係合するような軸方向圧縮力をプレート２００とハウジング３００との間にもたらすことを意味する。いくつかのシナリオでは、プレート２００及びハウジング３００が、部品同士を接合するためにスピン溶接又は振動溶接などのさらなるオフライン製造工程を必要とせずに、線形ピストンなどの単純な作動装置に従って共に軸方向に圧迫される。ハウジング３００とカバープレート２００とを本明細書で説明するように組み立てると、ハウジング３００及びカバープレート２００が、集合的に環状溝１０２を定めることができる。この点、環状溝１０２は、ハウジング３００の開放端３０４と、カバープレート２００の外周面２１２とによって定めることができる。いくつかの実装では、環状溝１０２内に環状シール１０４を配置することができる。
【００２２】
いくつかの実装では、各係合タブ２２０が、軸方向部分２２２と干渉部分２２８とを含む。これらの実装では、近位端２２４から遠位端２２６まで軸方向に延びる軸方向部分２２２が、カバープレート２２０の外周壁２１０の外周面２１２から半径方向内向きに配置される。図１の例には、外周壁２１０と一体的に形成されて壁部２１０の桟部２１６から軸方向に離れて延びる近位端２２４を示す。しかしながら、他の例では、近位端２２４がカバープレート２２０の内面２０６と一体的に形成されてそこから軸方向に延びることもできる。干渉部分２２８は、軸方向部分２２２の遠位端２２６から半径方向に離れて（例えば、図１の図に関しては半径方向外向きに）突出し、プレート２００及びハウジング３００を共に軸方向に圧迫した時に、対応する収容スロット３２０との嵌合をもたらしてカバープレート２００及びハウジング３００が互いに対して動くのを防ぐように構成される。軸方向部分２２２は、半径方向内面２２９を含むことができる。いくつかの実装では、半径方向内面２２９が実質的に平坦な構造を定めるのに対し、内周面２１４がアーチ形構造を定める。例えば、内周面２１４は、実質的に円筒形の構造を定めることができる。収容スロット３２０は、係合タブ２２０の干渉部分２２８の形状に対応する形状を有するキャビティを定めることができる。
【００２３】
各収容スロット３２０は、内壁３１０内への半径方向深さが収容スロット３２０よりも小さい対応する軸方向溝３２２を伴うことができる。軸方向溝３２２は、カバープレート２００及びハウジング３００が共に軸方向に圧迫された時に、対応する係合タブ２２０の干渉部分２２８を軸方向に導いて関連する収容スロット３２０と嵌め合い係合させるように構成される。いくつかの例では、軸方向溝３２２が、係合タブ２２０の軸方向部分２２２の軸方向長さと実質的に等しい軸方向長さを定める。これに加えて、又はこれとは別に、軸方向溝３２２は、軸方向部分２２２の半径方向厚さと実質的に等しい半径方向深さを定めることもできる。
【００２４】
いくつかの実装では、外周壁２１０の外周面２１２又は内壁３１０が、カバープレート２００がハウジング３００に固定された時にカバープレート２００とハウジング３００との間を流体密封する半径方向シール２５２を収容するように構成された円周方向溝２５０を定める。
【００２５】
図２は、カバープレート２００の内面２０６から離れて軸方向に突出する一連の係合タブ２２０を示す、図１のカバープレート２００の上面斜視図である。この例には、カバープレート２００の外周壁２１０と一体的に形成されて内面２０６から離れて軸方向に突出する各係合タブ２２０を示す。ここでは、係合タブ２２０が、外周壁２１０の桟部２１６上であってカバープレート２００の内周壁２１０の内周面２１４の周囲に円周方向に配置される。例えば、いくつかの実装では、係合タブ２２０が、係合タブ２２０のいずれの部分も内周面２１４に対して半径方向内向きに延びないように、内周面２１４と実質的に同一平面に存在することができる。或いは、係合タブ２２０のうちの１つ又は２つ以上をカバープレート２００の内面２０６と一体的に形成してそこから軸方向に突出させることもできる。係合タブ２２０は、半径方向の力が加わると外周壁２１０に対して撓むことができる。いくつかの構成では、少なくとも内面２０６から離れて軸方向に延びる軸方向カラー２１９が中央開口部２０２を取り囲む。各係合タブ２２０の干渉部分２２８は、干渉部分２２８が対応する収容スロット３２０に嵌め込まれた後又は係止された後に、タブ２２０及びプレート２００がハウジング３００から離れて軸方向に動くのを防ぐための返し２３０を含むことができる。これに加えて、又はこれとは別に、各タブ２２０の干渉部分２２８は、組み立て中にプレート２００及びハウジング３００が共に軸方向に圧迫された時にハウジング３００の内壁３１０に対向して係合タブ２２０がハウジングの内壁３１０に引っ掛かるのを防ぐ上反りした（ｃａｍｂｅｒｅｄ）前縁部２３２を含む。
【００２６】
いくつかの実装では、係合タブ２２０が、形成過程中にカバープレート２００と一体的に形成される。いくつかの例では、タブ２２０及びプレート２００が、成形過程中にプラスチックから形成される。プレート２００及び／又はタブ２２０は、金属及び／又はセラミックなどの他のいずれかの好適な材料から形成することもできる。図２には、外周壁２１０の外周面２１２に形成された円周方向溝２５０も示す。
【００２７】
図３は、ハウジング３００の開放端３０４を通じて見た内壁３１０を示す、ハウジング３００の底面斜視図である。内壁３１０は、カバープレート２００がハウジング３００の開放端３０４に固定された時にカバープレート２００の外周壁２１０の少なくとも一部を取り囲むように構成された、ハウジング３００の開放端３０４に近接する幅広部分３１０ｗを含むことができる。すなわち、内壁３１０の幅広部分３１０ｗは、外周壁２１０の外周面２１２の直径よりも大きな直径を含む。内壁３１０は、ハウジング３００の幅広部分３１０ｗと閉鎖端３０２との間で軸方向に延びる幅狭部分３１０ｎを含むこともできる。ここでは、幅狭部分３１０ｎが幅広部分３１０ｗよりも小さな直径を含み、ハウジング３００の開放端３０４から幅広部分３１０ｗの軸方向距離だけ軸方向に間隔を空ける。幅狭部分３１０ｎは、外周壁２１０の内周面２１４の直径と実質的に等しい直径を定めることができる。いくつかの実装では、収容スロット３２０及び対応する軸方向溝３２２が、内壁３１０の幅狭部分３１０ｎに形成される。例えば、各軸方向溝３２２は、内壁３１０の幅広部分３１０ｗから対応する収容スロット３２０まで軸方向に延びることができる。さらに、各軸方向溝３２２は、軸方向溝３２２の半径方向深さが幅狭部分３１０ｎと幅広部分３１０ｗとの間の半径方向距離よりも小さくなるように、内壁３１０の幅広部分３１０ｗから半径方向内向きに配置することができる。本明細書における部分３１０ｎ、３１０ｗ間の半径方向距離は、幅狭部分３１０ｎの直径から幅広部分３１０ｗの直径を減算することによって計算することができる。
【００２８】
いくつかの例では、カバープレート２００の外周面２１２に形成された図１及び図２の円周方向溝２５０の代わりに、内壁３１０の幅広部分３１０ｗ内に円周方向溝が形成される。ここでは、溝２５０内に半径方向シール２５２を着座させて、カバープレート２００とハウジング３００とが共に軸方向に圧迫されて幅広部分３１０ｗと外周面２１２との間が圧縮された時に流体密封をもたらすことができる。いくつかの例では、ハウジング３００が、成形過程中にプラスチックから形成される。ハウジング３００は、金属及び／又はセラミックなどの他のいずれかの好適な材料から形成することもできる。
【００２９】
図４の断面図に、ハウジング３００に固定されたカバー２００と、ハウジング３００の内部チャンバ３０６内に配置されたフィルタエレメント１０とを含むスピンオン式フィルタ１００を示す。フィルタエレメント１０及びハウジング１００は、例えば燃料システム内の燃料の流れ又は潤滑システム内の潤滑剤の流れなどの流体の流れから微粒子を除去するように協働することができる。例えば、スピンオン式フィルタ１００は、システムを通じて、例えば燃料タンクからエンジンに燃料を移動させるように、燃料供給源（例えば、ポンプ及び／又は燃料タンク）の正圧側の下流に配置することができる。カバープレート２００を貫いて形成される１又は２以上の入口燃料ポート２０８は、燃料供給源からの未濾過燃料４２２を濾過されるようにハウジング３００の内部チャンバ３０６に導くことができる。
【００３０】
いくつかの実装では、フィルタエレメント１０が、第１のエンドキャップ１２と、第１のエンドキャップ１２に対向する第２のエンドキャップ１４と、第１のエンドキャップ１２と第２のエンドキャップ１４との間に配置されて中央キャビティ１８を取り囲むリング状の濾材１６とを含む。図３のビューでは、第１のエンドキャップ１２が、ハウジングの閉鎖端３０２に対向して濾材１６の頂端部に付着する頂部エンドキャップに関連し、底部エンドキャップ１４が、カバープレート２００の内面２０６に対向して、濾材１６の頂端部とは反対側に配置された濾材１６の底部に付着する底部エンドキャップに関連する。濾材１６は、特定の用途に適した効率性及び構造を有する１又は２以上の材料から形成することができる。エンドキャップ１２、１４は、濾材１６のそれぞれの端部に取り付け、プラスチゾル、ウレタン又はその他の好適な接着剤などの埋め込み用樹脂を用いて密封接合することができる。
【００３１】
第２のエンドキャップ１４は、フィルタ１００、及びカバープレート２００の中央開口部２０２の長手方向軸Ｌと同軸的な、中心に位置するスタンドパイプ開口部５８を定めることができる。いくつかの例では、第２のエンドキャップ１４の底面５０とカバープレート２００の内面２０６との間に環状シール８０が配置される。シール８０は、カバープレート２００の軸方向カラー２１９の周囲に、これらの間に流体密封シールが形成されるように対向接触（ｉｎ  ｏｐｐｏｓｅｄ  ｃｏｎｔａｃｔ）することができる。従って、内面２０６、環状シール８０、軸方向カラー２１９及び第２のエンドキャップ１４の底面５０は、入口ポート２０８を介して内部チャンバ３０６に入り込んだ未濾過燃料４２２が媒体１６を通じた濾過を迂回し、カバープレート２００に形成された中央開口部２０２を通じて逃がれるのを防ぐように協働する。シール８０は、スナップ嵌め接続を介してカバープレート２００をハウジング３００に固定するためにカバープレート２００及びハウジング３００を共に軸方向に圧迫した時に、第２のエンドキャップ１４とカバープレート２００との間で軸方向に圧縮することができる。
【００３２】
いくつかの実装では、スタンドパイプアセンブリ４５０が、ハウジング３００の内部チャンバ３０６内に少なくとも部分的に配置される。スタンドパイプアセンブリ４５０は、細長いスタンドパイプ部材４５２と、スタンドパイプ部材４５２に相互接続された、スタンドパイプ部材４５２よりも大きな直径を有するベース部材４５６とを含む。いくつかの構成では、スピンオン式フィルタ１００が、カバープレート２００の中央開口部２０２の雌ねじ２１８と、スタンドパイプアセンブリ４５０のベース部材４５６に関連する対応するねじ山との間の螺合を介してスタンドパイプアセンブリ４５０に取り付けられるように構成される。スタンドパイプ部材４５２は、ハウジング３００内で中心に（例えば、図１の長手方向軸Ｌと同軸的に）位置し、ハウジング３００の開放端３０４においてカバープレート２００から上向きに又は離れて、第２のエンドキャップ１４を貫いて形成されたスタンドパイプ開口部５８を通じて軸方向に延びる。スタンドパイプ部材４５２は、フィルタエレメント１０の中央キャビティ１８内で終端する、濾材１６を通過した濾過済みの燃料４３２を導く燃料出口ポート４３０を定める遠位端を含む。燃料出口ポート４３０は、ハウジング３００からの濾過済み燃料４３２をフィルタアセンブリ３００の下流のエンジンに向ける。従って、未濾過燃料４２２は、１又は２以上の入口ポート２０８を通じてハウジング３００の内部チャンバ３０６によって受け取られ、濾材１６を半径方向内向き方向に通過して中央キャビティ１８内に濾過済み燃料４３２として排出される。いくつかの例では、中央キャビティ１８内に、濾材１６を支持するための支持コア１７が配置される。
【００３３】
図４の例には、ハウジング３００の内壁３１０に形成された対応する収容スロット３２０と係合したカバープレート２００の係合タブ２２０の干渉部分２２８を示す。各タブ２２０及び収容スロット３２０の対間の嵌合位置はハウジング３００の内部チャンバ３０６内に存在するので、フィルタ１００の外側から係合タブ２２０にアクセスすることはできず、従って部品２００、３００がスナップ嵌め接続を介して共に固定／嵌合／接合されると、エンドユーザがフィルタ１００を分解することが防がれる。各係合タブ２２０の干渉部分２２８は、干渉部分２２８が対応する収容スロット３２０内に嵌め込まれた又は係止された時に対応する収容スロット３２０の停止部３３０上に存在する返し２３０を含むことができる。ここでは、返し２３０及び停止部３３０が、ハウジング３００から引き離された時にカバープレート２００がハウジング３００に対して動くのを防ぐように協働する。図４に示すように、いくつかの実装では、フィルタ１００が、収容スロット３２０内に配置された１又は２以上のシール部材１１０を含み、組み立て構成では１又は２以上のシール部材１１０が停止部３３０に係合して返し２３０がシール部材１１０に係合するようになる。各係合タブ２２０の上反りした前縁部２３２は、部品２００、３００が軸方向に圧迫されている間、干渉部分２２８が対応する収容スロット３２０内の適所に係止される前に、タブ２２０が内部チャンバ３０６内の表面に引っかかるのを防ぐことができる。例えば、内壁３１０の幅広部分３１０ｗと幅狭部分３１０ｎとの間の移行部に定められる内部チャンバ３０６内の着座面３１６は、係合タブ２２０がその対応する収容スロット３２０に向かって軸方向に移動する際に係合タブ２２０に干渉する傾向を有することができる。ここでは、干渉部分２２８に半径方向の力をもたらすことによって、干渉部分２２８が対応する収容スロット３３０内の適所に係止されるまで軸方向部分２２２を半径方向内向きに撓ませる上反りした前縁部２３２が、内壁３１０に形成された対応する軸方向溝３２２内に係合タブをスムーズに導くことができる。
【００３４】
図５を参照すると、いくつかの実装では、スピンオン式フィルタ１００ａが、スナップ嵌め接続を用いてフィルタハウジング３００に固定されたカバープレート２００ａを含む。以下の説明及び図面では、スピンオン式フィルタ１００に関連する部品の構造及び機能のスピンオン式フィルタ１００に対する実質的な類似性を考慮して、同様の部品の識別に同様の参照番号を使用する一方で、修正された部品の識別には拡張文字を含む同様の参照番号を使用する。
【００３５】
ハウジング３００は、（図３に示すような）閉鎖端３０２と、フィルタエレメント１０を収容するように構成された内部チャンバ３０６を取り囲む、閉鎖端３０２から開放端３０４まで軸方向に延びる円周方向内壁３１０とを含む。図５のカバープレート２００ａは、図１、図２及び図４のカバープレート２００とは対照的に、外周壁２１０ａによって取り囲まれた、拡大された中央開口部２０２ａを定める。外周壁２１０ａは、内周面２１４ａと外周面２１２との間にプレート２００ａの外面を定めることができる。ここでは、外周壁２１０ａの内周面２１４ａが中央開口部２０２ａとの境界を示し、スタンドパイプ部材の対応するねじ山と螺合するように適合されたねじ山２１８ａを含むことができる。カバープレート２００ａは、中央開口部２０２ａが完全に外周壁２１０ａによって定められることによって燃料などの流体の入口ポートが省かれている点を除き、カバープレート２００と実質的に同一である。代わりに、入口ポートは、カバープレート２００ａにスタンドパイプアセンブリ（例えば、スタンドパイプアセンブリ４５０）を取り付けることによって設けることができる。
【００３６】
スピンオン式フィルタ１００、１００ａは、カバープレート２００、２００ａから軸方向に突出する係合タブ２２０と、ハウジング３００とカバープレート２００、２００ａとを共に軸方向に圧迫した時にハウジング３００にカバープレート２００、２００ａを固定するための嵌合位置を内部チャンバ３０６内に提供する、ハウジング３００の内壁３１０に形成された収容スロット３２０とを有する構成を示す。図６を参照すると、他の構成では、係合タブ２２０が、ハウジング３００の内壁３１０から開放端３０４に向かう方向に軸方向及び／又は半径方向に突出することができる。収容スロット３２０は、外周壁２１０、２１０ａの内周面２１４、２１４ａに制限なく形成することができる。この構成では、カバープレート２００、２００ａとハウジング３００とを共に軸方向に圧迫した時にカバープレート２００、２００ａをハウジング３００に固定するための嵌合位置も内部チャンバ３０６内に設けられる。
【００３７】
図６には、別のスピンオン式フィルタ１００ｂを示す。スピンオン式フィルタ１００ｂの構造及び機能は、以下で説明し及び／又は図面に示すあらゆる例外を除いてスピンオン式フィルタ１００、１００ａの構造及び機能と実質的に同様とすることができる。従って、同様の特徴部の構造及び／又は機能については再び詳細に説明しない。また、以下の説明及び図面では、同様の機能の識別に同様の参照番号を使用する一方で、修正した特徴部の識別には拡張文字（すなわち、「ｂ」）を含む同様の参照番号を使用する。
【００３８】
スピンオン式フィルタ１００ｂは、スナップ嵌め接続を用いてフィルタハウジング３００ｂに固定されたカバープレート２００ｂを含むことができる。この点、カバープレート２００ｂをハウジング３００ｂに固定するためのスナップ嵌め接続は、ハウジング３００ｂの一連の係合特徴部３４０、及びカバープレート２００ｂに形成された対応する一連の係合特徴部２２０ｂによってもたらすことができる。各係合特徴部２２０ｂ、３４０ｂの対間の嵌合は、カバープレート２００ｂ及びハウジング３００ｂを共に軸方向に圧迫した時に生じ、嵌合が生じた後にはプレート２００ｂがハウジング３００ｂに対して動くのを防ぐことができる。例えば、図６に示すように、各係合特徴部３４０は、カバープレート２００ｂの内部チャンバ２４０内に軸方向に延び、カバープレート２００ｂの内部チャンバ２４０内の対応する嵌合位置において対応する係合特徴部２２０ｂと嵌合することができる。いくつかの実装では、係合特徴部２２０ｂが係合特徴部３４０と嵌合又は係合すると、カバープレート２００ｂがハウジング３００ｂに恒久的に固定され／取り付けられて、対応する係合特徴部２２０ｂから係合特徴部３４０が外れることができなくなる。
【００３９】
図８に示すように、各係合特徴部３４０は、軸方向部分３４２と干渉部分３４４とを有するタブを定めることができる。いくつかの実装では、係合特徴部３４０が、ハウジング３００ｂの周囲で均等に間隔を空ける。軸方向部分３４２は、近位端３４６から遠位端３４８まで軸方向に延びることができ、フィルタハウジング３００ｂの外周壁３５０から半径方向内向きに配置することができる。軸方向部分３４２は、半径方向外面３２２ｂ及び半径方向内面３２９を含むことができる。いくつかの実装では、半径方向外面３２２ｂ及び／又は半径方向内面３２９が、実質的に平坦な構造を定める。
【００４０】
干渉部分３４４は、軸方向部分３４２の遠位端３４８から半径方向に離れて（例えば、半径方向外向きに）突出し、プレート２００ｂ及びハウジング３００ｂを共に軸方向に圧迫した時に、対応する係合特徴部２２０ｂとの嵌合をもたらしてカバープレート２００ｂ及びハウジング３００ｂが互いに対して動くのを防ぐように構成される。この点、各係合特徴部３４０の干渉部分３４４は、上反りした前縁部３２０ｂを有する、半径方向に延びる返し３５２を含むことができる。
【００４１】
図７に示すように、カバープレート２００ｂの係合特徴部２２０ｂは、カバープレート２００ｂの内壁２５４に形成することができる。いくつかの実装では、係合特徴部２２０ｂが、内壁２５４の周囲で均等に間隔を空ける。各係合特徴部２２０ｂは、内壁２５４に形成された凹部を定めることができる。各係合特徴部２２０ｂは、係合特徴部２２０ｂの半径方向に延びる停止面２５６によって部分的に定められる対応する収容スロット２３０ｂよりも小さな内壁２５４内への半径方向深さを有する対応する軸方向壁２３２ｂを伴うことができる。この点、収容スロット２３０ｂは、係合特徴部３４０の干渉部分３４４（例えば、返し３５２）の形状に対応する形状を有するキャビティを定めることができる。いくつかの実装では、収容スロット２３０ｂが、内壁２５４及び／又は軸方向壁２３２ｂから半径方向外向きに定められた環状キャビティを定めることができる。
【００４２】
軸方向壁２３２ｂは、カバープレート２００ｂ及びハウジング３００ｂが共に軸方向に圧迫された時に、対応する係合特徴部３４０の干渉部分３４４を軸方向に導いて関連する収容スロット２３０ｂと嵌め合い係合させるように構成することができる。いくつかの例では、軸方向壁２３２ｂが、係合特徴部３４０の半径方向外面３２２ｂの軸方向長さと実質的に等しい軸方向長さを有する実質的に平坦な構造を定める。
【００４３】
図６に示すように、ハウジング３００ｂの係合特徴部３４０の干渉部分３４４は、カバープレート２００ｂに形成された対応する係合特徴部２２０ｂ（例えば、凹部）に係合する。干渉部分３４４が対応する収容スロット２３０ｂ内に嵌め込まれ又は係止されると、各係合特徴部３４０の返し３５２が、対応する係合特徴部２２０ｂの停止面２５６上に存在できるようになる。ここでは、返し３５２及び停止面２５６が、ハウジング３００から引き離された時にカバープレート２００ｂがハウジング３００ｂに対して動くのを防ぐように協働する。
【００４４】
いくつかの実装について説明した。それでもなお、本開示の趣旨及び範囲から逸脱することなく様々な修正を行うことができると理解されるであろう。従って、以下の特許請求の範囲には他の実装も含まれる。
【符号の説明】
【００４５】
１２  第１のエンドキャップ
１４  第２のエンドキャップ
１６  濾材
１７  支持コア
１８  中央キャビティ
５０  第２のエンドキャップの底面
５８  スタンドパイプ開口部
８０  環状シール
１００  スピンオンフィルタ
１１０  シール部材
２００  カバープレート
２０２  中央開口部
２０４  カバープレートの外面
２０８  入口ポート
２１６  桟部
２１８  雌ねじ
２１９  軸方向カラー
２２０  係合タブ
２２２  軸方向部分
２２８  干渉部分
２３０  返し
２３２  前縁部
２５０  円周方向溝
２５２  半径方向シール
３００  フィルタハウジング
３０２  閉鎖端
３０４  開放端
３１０  円周方向内壁
３１６  着座面
３２０  収容スロット
３３０  停止部
４２２  未濾過燃料
４３０  燃料出口ポート
４３２  濾過済み燃料
４５０  スタンドパイプアセンブリ
４５２  スタンドパイプ部材
４５６  ベース部材
【図１】
2020504007.tif 000003
【図２】
2020504007.tif 000004
【図３】
2020504007.tif 000005
【図４】
2020504007.tif 000006
【図５】
2020504007.tif 000007
【図６】
2020504007.tif 000008
【図７】
2020504007.tif 000009
【図８】
2020504007.tif 000010
【国際調査報告】
2020504007.tif 000011
2020504007.tif 000012